(57)【要約】【課題】配線を整然と且つ容易に這わせることができ、安全点検も容易に行えるデスクを提供する。【解決手段】デスク天板１１の正面上方から配線天板２１が視認できない低い位置に配線天板２１を備える。これにより、機器の配線を隠すことができ、配線天板２１上に配線を集めて配線を整然とさせることができる。また、配線の状態はデスク天板１１の下から容易に確認することができる。【選択図】図１
2012232058.tif 000002
【特許請求の範囲】
【請求項１】
天板と、
対向して配置されて前記天板を支える２枚の側板と、
前記側板が配置されていない側の前記天板より低い位置に前記天板及び前記側板より突出して配置された配線天板と、
を有することを特徴とするデスク。
【発明の詳細な説明】
【技術分野】
【０００１】
本発明は、配線を収納するデスクに関する。
【背景技術】
【０００２】
近年、オフィスでは、配線を整然とさせるために、天板に配線の接続口を設けたデスクや天板に配線を通す穴を開けたデスクが提供されている。また、下に側板を配置して配線を隠すデスクも提供されている。
【先行技術文献】
【特許文献】
【０００３】
【特許文献１】特開２００１−０１７２４１号公報
【発明の概要】
【発明が解決しようとする課題】
【０００４】
しかしながら、従来のデスクでは、天板に配線の接続口を設けることで一部の配線を整然とさせることはできるが、配線が増えた場合に接続口を増設することは容易ではない。また、側板を配置して配線を隠すデスクでは、配線作業を行う際に側板を外す手間がかかるという問題があった。さらに、側板を外さなければ配線周りの安全点検を実施できないという問題もあった。
【０００５】
本発明は、上記に鑑みてなされたものであり、配線を整然と且つ容易に這わせることができ、安全点検も容易に行えるデスクを提供することを目的とする。
【課題を解決するための手段】
【０００６】
本発明に係るデスクは、天板と、対向して配置されて前記天板を支える２枚の側板と、前記側板が配置されていない側の前記天板より低い位置に前記天板及び前記側板より突出して配置された配線天板と、を有することを特徴とする。
【発明の効果】
【０００７】
本発明によれば、配線を整然と且つ容易に這わせることができ、安全点検も容易に行えるデスクを提供することができる。
【図面の簡単な説明】
【０００８】
【図１】本実施の形態におけるデスクの構成を示す斜視図である。
【図２】上記デスクの（ａ）上面図、（ｂ）正面図、（ｃ）側面図である。
【図３】配線天板の位置を調整する固定部材を示す図である。
【図４】配線天板の位置を調整する調整棒を示す図である。
【図５】配線天板の高さと視点の位置の関係を説明するための説明図である。
【発明を実施するための形態】
【０００９】
以下、本発明の実施の形態について図面を用いて説明する。
【００１０】
図１は、本実施の形態におけるデスクの構成を示す斜視図であり、図２（ａ）は上面図、図２（ｂ）は正面図、図２（ｃ）は側面図である。
【００１１】
図１，２に示すデスクは、電気機器や通信機器など配線を伴う機器を置くデスク部分と配線を収納する配線収納部分で構成される。デスク部分は、地面に対して平行に配置されたデスク天板１１と地面に対して垂直に対向して配置されてデスク天板１１を支える２つのデスク側板１２によってコの字型に構成される。配線収納部分は、デスク部分のデスク側板１２が配置されていない一方の側面に配置され、デスク天板１１よりも低い位置でデスク天板１１と平行に配置された配線天板２１と配線天板２１の一辺に配線天板２１に対して垂直に配置した配線留め板２２により構成される。図２（ｂ）の正面図で示すように、配線収納部分は、デスク側板１２の内側に配置された固定部材１３で形成された溝に配線天板２１が挿入されてデスク部分と組み合わせられる。また、図２（ｃ）の側面図で示すように、配線収納部分は、デスク天板１１及びデスク側板１２よりも背面に突出した状態で配置される。
【００１２】
機器の本体をデスク天板１１上に設置し、機器の配線を配線天板２１上に這わせて収納する。配線留め板２２は、配線が配線天板２１から落下することを防ぐ。配線収納部分は、壁面等に設けられたコンセントやアウトレットの接続口まで全ての配線をまとめて誘導し、配線の数の増加にも容易に対応できる。また、配線天板２１がデスク天板１１よりも下方に配置されているので、ユーザがデスクを使用している状態、つまりデスクの正面（配線収納部分の反対側）にいる状態で、配線を視認させずに隠すことができる。
【００１３】
また、配線天板２１を、デスク天板１１との間に作業が可能な隙間が確保できる程度デスク天板１１よりも低く配置することで、デスク天板１１の下から配線天板２１上の配線等を扱い、確認することが容易にできる。具体的には、デスク天板１１と配線天板２１との間は、作業者がものをつかむ作業をする際の空間が確保できる程度に離して配置する。握り最大径は平均で１００．７ｍｍ、最大で１１６．０ｍｍであるので、デスク天板１１と配線天板２１との高さの差は１１６ｍｍ以上確保する。
【００１４】
図３に示すように、２枚のデスク側板１２の内側に固定部材１３を複数配置して複数の溝を形成することで、配線天板２１を挿入する位置を変えて配線天板２１の高さを変更する。
【００１５】
あるいは、図４に示すように、配線天板２１に垂直柱１４を貫通させて配線天板２１を上下に動かせるようにしてもよい。配線天板２１の張り出している部分に下に傾こうとする力が働き、垂直柱１４と配線天板２１との間の摩擦力となって配線天板２１が固定される。
【００１６】
配線天板２１の位置は、調整棒３１を用いて調整する。図４（ｂ）に示すように、調整棒３１は、配線天板２１を上下に挟み込み、調整棒３１の配線天板２１に対する角度が変化しても配線天板２１の水平が保たれるように接続部分が回転可能となっている。また、調整棒３１をデスク側板１２に一部を固定して支点とし、調整棒３１を上下させることで配線天板２１を上下させることができる。調整棒３１は伸縮可能な構造で、使用時に伸長させ、使用しないときには縮めて収納しておく。
【００１７】
なお、配線天板２１の高さの調整は上記のものに限らず、他の方法を用いるものでもよい。
【００１８】
次に、配線天板２１の高さと視点の位置について説明する。
【００１９】
図５は、配線天板２１の高さと視点の位置の関係を説明するための説明図である。ここでは、図５に示すように、視点の高さをＬ、デスク天板１１から視点までの水平距離をｘ、デスクの高さをｃ、デスクの奥行きをａ、配線天板２１の最も低い位置をｂ、配線天板２１を最も高い位置にしたとき、つまり、デスク天板１１と配線天板２１との間に手が入る程度の隙間を空けたときのデスク天板１１と配線天板２１との間の距離をｄ、配線天板２１の高さをｚ、配線天板２１の奥行きをｍとする。
【００２０】
まず、配線天板２１の高さを最も低い位置ｂにしたときに、デスクの下から配線天板２１が見えない範囲（視点５１までの水平距離ｘ）を計算する。
【００２１】
視点５１からデスク天板１１の手前側の端に延ばした直線を斜辺とする２つの直角三角形の各辺の比ｘ：ａ＝（Ｌ−ｃ）：（ｃ−ｂ）から次式が求められる。
【００２２】
ｘ＝ａ×（Ｌ−ｃ）／（ｃ−ｂ）
すなわち、配線天板２１の高さｚを最も低い位置ｂにしたときには、水平位置ｘが以下の範囲のときに配線天板２１が見えない。
【００２３】
０≦ｘ≦ａ×（Ｌ−ｃ）／（ｃ−ｂ）
ｚ＝ｂ
続いて、配線天板２１の高さを最も高い位置、つまりデスク天板１１から配線天板２１まで距離ｄの隙間を空けたときに、デスクの下から配線天板２１が見えない範囲（視点５２までの水平距離ｘ）を計算する。
【００２４】
視点５２からデスク天板１１の手前側の端に延ばした直線を斜辺とする２つの直角三角形の各辺の比ｘ：ａ＝（Ｌ−ｃ）：ｄから次式が求められる。
【００２５】
ｘ＝ａ×（Ｌ−ｃ）／ｄ
すなわち、配線天板２１の高さｚを最も高い位置ｃ−ｄにしたときには、水平位置ｘが以下の範囲のときに配線天板２１が見えない。
【００２６】
０≦ｘ≦ａ×（Ｌ−ｃ）／ｄ
ｚ＝ｃ−ｄ
つまり、ｂ≦ｚ≦ｃ−ｄの範囲で配線天板２１の高さｚを調整することで、視点の水平距離ｘがａ×（Ｌ−ｃ）／（ｃ−ｂ）≦ｘ≦ａ×（Ｌ−ｃ）／ｄの範囲のときは、配線天板２１がデスクの下から見えないように設定できる。
【００２７】
また、配線天板２１の高さを最も高い位置にしたときに、視点５３の位置で配線天板２１がデスク天板１１に隠れるようにするには、視点５３からデスク天板１１の奥側の端に延ばした直線を斜辺とする２つの直角三角形の各辺の比ａ：ｍ＝Ｌ−ｃ：ｄから求められる次式の奥行きｍより短くする。
【００２８】
ｍ＝ａ×ｄ／（Ｌ−ｃ）
配線天板２１の奥行きは、電源用のテーブルタップを設置できるスペース、少なくとも１２０ｍｍ確保する。例えば、電源用のテーブルタップは、大きいもので縦２１０ｍｍ×横９０ｍｍ×厚み４５ｍｍである。
【００２９】
以上説明したように、本実施の形態によれば、デスク天板１１の正面上方から配線天板２１が視認できない低い位置に配線天板２１を備えることで、機器の配線を隠すことができ、配線天板２１上に配線を集めて配線を整然とさせることができる。また、デスク天板１１と配線天板２１の作業ができる程度に離して配置することで、配線の状態をデスク天板１１の下から容易に確認することができる。
【符号の説明】
【００３０】
１１…デスク天板
１２…デスク側板
１３…固定部材
１４…垂直柱
２１…配線天板
２２…配線留め板
３１…調整棒
【図１】
2012232058.tif 000003
【図２】
2012232058.tif 000004
【図３】
2012232058.tif 000005
【図４】
2012232058.tif 000006
【図５】
2012232058.tif 000007